(57)【要約】【課題】  小型化及び薄型化が可能な光ディスクを駆動する電子機器を提供する。【解決手段】  第１の天板２５及び第２の天板２６を光ディスクを装着部３１に着脱可能となる第３の位置Ｐ３に回動させ（図１９（Ｅ））、第２の天板２６を第１の天板２５に重なる第６の位置Ｐ６に回動させることができる（図１９（Ｂ））。この状態で第１の天板２５をトレイ本体２１に対向する第４の位置Ｐ４に回動させ（図１９（Ａ））、トレイ補助部２２及び接続部材２３をトレイ本体２１に収容することができる（図１９（Ａ））。これにより、ディスク収容部１１の平面的な大きさをトレイ本体２１のサイズにすることができる。このとき、折り畳まれた第２の天板２６及びトレイ補助部２２が収容部Ｋに収められるので、ディスク収容部１１の厚さが厚くなることを防止でき、電子機器１を小型化及び薄型化できる。【選択図】図１９
2010140548.tif 000002
【特許請求の範囲】
【請求項１】
本体部と、
前記本体部に対して出し入れ可能に設けられ、光ディスクのセンター穴と嵌合して前記光ディスクを装着可能な装着部とこの装着部を駆動する駆動部並びに前記光ディスクに対して光を照射してその反射光を受光する光学系を有し、前記装着部により装着される光ディスクを収容する収容部の一部である第１の収容部を有するトレイ本体と、
前記装着部により装着する光ディスクの外形に沿った前記収容部の他の一部である第２の収容部を有し、前記トレイ本体の前記本体部に対する出し入れ方向である第１の方向に対して直交する第２の方向の両側の少なくとも一方に、前記第２の収容部が前記トレイ本体の前記第１の収容部と一体となって前記装着部に装着する光ディスクを収容可能な空間を形成し、前記空間の少なくとも前記第２の方向のサイズが前記光ディスクの直径以上になる第１の位置と、前記トレイ本体とともに前記本体部に対して出し入れ可能となるように前記トレイ本体に収容される第２の位置との間で移動自在に設けられたトレイ補助部と、
前記光ディスクを前記装着部に着脱可能となる第３の位置と、前記装着部により装着される光ディスクを収容可能となりかつ前記トレイ本体とともに前記本体部に対して出し入れ可能となるように前記トレイ本体の前記第１の収容部の少なくとも一部を覆うことが可能な第４の位置との間で移動自在に設けられた第１の天板と、
前記トレイ本体の前記第１の収容部のうち前記第４の位置にある前記第１の天板で覆われる領域以外の領域と前記第１の位置にある前記トレイ補助部の前記第２の収容部とを覆うことが可能な第５の位置と、前記第１の天板、前記トレイ補助部及び前記トレイ本体とともに前記本体部に対して出し入れ可能となるように前記第１の天板に重なる第６の位置との間で前記第１の天板に対して移動自在に設けられた第２の天板と
を具備する電子機器。
【請求項２】
請求項１に記載の電子機器であって、
前記トレイ本体は、前記本体部外に突出することなく前記本体部内に入った第７の位置と、前記装着部に装着可能な最大径の前記光ディスクの径より短い長さ前記本体部の外に出され前記装着部が前記本体部の外に出た第８の位置との間で移動自在である
電子機器。
【請求項３】
請求項２に記載の電子機器であって、
前記第１の天板は、前記第２の天板に回動自在に接続するためのヒンジ機構を有し、
前記第１の天板または前記第２の天板の少なくとも一方には、前記第２の天板が前記第５の位置にあるときに、他方の天板と重なり合って前記トレイ本体の光学系からの漏光を阻止する遮光部を有する
電子機器。
【請求項４】
請求項３に記載の電子機器であって、
前記トレイ本体と前記トレイ補助部とが、一端部が前記トレイ本体に回動自在に支持され、他端部が前記トレイ補助部に回動自在に支持された接続部材を介して互いに回動自在に支持される
電子機器。
【請求項５】
請求項４に記載の電子機器であって、
前記第１の天板又は前記第２の天板の位置を検出する検出部と、
前記検出部が前記第１の天板が前記第３の位置にあること又は前記第２の天板が前記第６の位置にあることを検出したときに前記駆動部の駆動を停止する手段と
を更に具備する電子機器。
【請求項６】
請求項５に記載の電子機器であって、
前記接続部材または前記前記トレイ補助部の少なくとも一方は、前記トレイ補助部が前記第１の位置にあるときに、他方に嵌り合って前記光学系からの漏光を阻止する第２の遮光部を有する
電子機器。
【発明の詳細な説明】
【技術分野】
【０００１】
本発明は、光ディスクを駆動する光ディスク駆動部を備える電子機器に関する。
【背景技術】
【０００２】
近年、光ディスクドライブは、内部の光ディスク駆動機構等の小型化によって、その筐体の薄型化および小型化が進んでいる。しかしながら、通常の光ディスクドライブにおいては、光ディスクはその内部に収納されて使用されるため、光ディスクのサイズよりも光ディスクドライブの筐体を小さくすることは困難であった。これに対して、光ディスクドライブの更なる小型化を実現するために、光ディスクのサイズよりも筐体のサイズを小さくすることが可能な光ディスクドライブの構成がいくつか考えられている。
【０００３】
例えば、使用時には十分な光ディスク収納領域を確保すると共に、非使用時には光ディスクの外形サイズに影響されず、筐体をコンパクトにすることができるようにして、携帯性を高めた光ディスクドライブが開示されている。この光ディスクドライブによれば、筐体が固定部および伸縮部によって構成され、伸縮部が伸長することによって筐体内に光ディスクの収納領域を確保するようにしている（例えば、特許文献１参照）。
【０００４】
また、光ピックアップモジュールが内部に配置された主ケースと可動ケースとによって構成される光ディスクドライブが開示されている。この光ディスクドライブによれば、主ケースはデータを読み込む必要の無い時には可動ケース内に収容され、データを読み込む時には主ケースは可動ケースから分離され、光ディスクは主ケースと可動ケースの両方によって覆われるようにしている（例えば、特許文献２参照）。  
【特許文献１】特開２０００−１８７９７３号公報（段落[００１１]、図１）
【特許文献２】特開２００６−２０９９４８公報（段落[００３１]、図１３、図１４）
【発明の開示】
【発明が解決しようとする課題】
【０００５】
しかしながら、上記特許文献１に示された光ディスクドライブは、ノート型パーソナルコンピュータなどの他装置への組み込み性が悪い、という問題がある。つまり、光ディスクドライブが伸縮する機構を備えている分、この光ディスクドライブを他装置に組み込もうとすると、他装置の厚さが厚くなったり、大きくなったりする。
【０００６】
また、上記特許文献２に示された光ディスクドライブは、主ケースが可動ケースに内に収容される構成のため、光ディスクドライブの厚さが増してしまう。このため、光ディスクドライブを他装置に組み込もうとすると、他装置の厚さが厚くなったり、大きくなったりする、という問題がある。
【０００７】
以上のような事情に鑑み、本発明の目的は、小型化及び薄型化が可能な光ディスクを駆動する電子機器を提供することにある。
【課題を解決するための手段】
【０００８】
上記課題を解決するために、本発明に係る電子機器は、本体部と、トレイ本体と、トレイ補助部と、第１の天板と、第２の天板とを有する。上記トレイ本体は、上記本体部に対して出し入れ可能に設けられ、光ディスクのセンター穴と嵌合して上記光ディスクを装着可能な装着部とこの装着部を駆動する駆動部並びに上記光ディスクに対して光を照射してその反射光を受光する光学系を有し、上記装着部により装着される光ディスクを収容する収容部の一部である第１の収容部を有する。上記トレイ補助部は、上記装着部により装着する光ディスクの外形に沿った上記収容部の他の一部である第２の収容部を有し、上記トレイ本体の上記本体部に対する出し入れ方向である第１の方向に対して直交する第２の方向の両側の少なくとも一方に、上記第２の収容部が上記トレイ本体の上記第１の収容部と一体となって上記装着部に装着する光ディスクを収容可能な空間を形成し、上記空間の少なくとも上記第２の方向のサイズが上記光ディスクの直径以上になる第１の位置と、上記トレイ本体とともに上記本体部に対して出し入れ可能となるように上記トレイ本体に収容される第２の位置との間で移動自在に設けられる。上記第１の天板は、上記光ディスクを上記装着部に着脱可能となる第３の位置と、上記装着部により装着される光ディスクを収容可能となりかつ上記トレイ本体とともに上記本体部に対して出し入れ可能なるように上記トレイ本体の上記第１の収容部の少なくとも一部を覆うことが可能な第４の位置との間で移動自在に設けられる。上記第２の天板は、上記トレイ本体の上記第１の収容部のうち上記第４の位置にある上記第１の天板で覆われる領域以外の領域と上記第１の位置にある上記トレイ補助部の上記第２の収容部とを覆うことが可能な第５の位置と、上記第１の天板、上記トレイ補助部及び上記トレイ本体とともに上記本体部に対して出し入れ可能となるように上記第１の天板に重なる第６の位置との間で上記第１の天板に対して移動自在に設けられる。
【０００９】
本発明では、本体部に対してトレイ本体を引き出し、第２の収容部がトレイ本体の第１の収容部と一体となって装着部により装着される光ディスクを収容可能な空間を形成する第１の位置にトレイ補助部を移動し、第１の天板及び第２の天板を光ディスクを装着部に着脱可能となる第３の位置に移動し、第１の天板に対して第５の位置に第２の天板を移動し、装着部に光ディスクを装着し、第２の天板と一体となった第１の天板を第４の位置に移動させ、トレイ本体の第１の収容部のうち第４の位置にある第１の天板で覆われる領域以外の領域と第１の位置にあるトレイ補助部の第２の収容部とを第２の天板により覆い、光ディスクを収容することができる。また、第２の天板と共に第１の天板を光ディスクを装着部に着脱可能となる第３の位置に移動し、光ディスクを取り外し、第２の天板を第１の天板に重なる第６の位置に移動させ、この状態で第１の天板をトレイ本体の一部を覆う第４の位置に移動させ、トレイ補助部をトレイ本体に収容し、これらを小型化及び薄型化し、これらを一体的に本体部に入れることができる。従って、光ディスクを駆動する電子機器の小型化及び薄型化を図ることができる。
【００１０】
上記トレイ本体は、上記本体部外に突出することなく上記本体部内に入った第７の位置と、上記装着部に装着可能な最大径の上記光ディスクの径より短い長さ上記本体部の外に出され上記装着部が上記本体部の外に出た第８の位置との間で移動自在であるようにしてもよい。これにより、装着部が本体部の外に出るまでトレイ本体を引き出し光ディスクを容易に装着部に装着すことができると共にトレイ本体を小型化することができる。
【００１１】
上記第１の天板は、上記第２の天板に回動自在に接続するためのヒンジ機構を有し、上記第１の天板または上記第２の天板の少なくとも一方には、上記第２の天板が上記第５の位置にあるときに、他方の天板と重なり合って上記トレイ本体の光学系からの漏光を阻止する遮光部を有することが好ましい。これにより、第２の天板が第５の位置にあるときに遮光部によりヒンジ機構の一部からの漏光を阻止することができる。
【００１２】
上記トレイ本体と上記トレイ補助部とが、一端部が上記トレイ本体に回動自在に支持され、他端部が前記トレイ補助部に回動自在に支持された接続部材を介して互いに回動自在に支持されるようにしてもよい。これにより、トレイ本体に対してトレイ補助部を第１の位置に移動することにより、光ディスクを収容することができると共に、接続部材がない場合に比べて、接続部材の長さ分、トレイ本体のサイズを小さくすることができる。つまり、トレイ本体に対して接続部材を回動し、接続部材に対してトレイ補助部を回動することで、トレイ補助部の先端の位置を接続部材の長さ分、トレイ本体の外側に位置させることができる。従って、接続部材の長さ分、トレイ本体のサイズを小型化しても、装着部とトレイ補助部との接触を防止することができる。
【００１３】
上記第１の天板又は上記第２の天板の位置を検出する検出部と、上記検出部が上記第１の天板が上記第３の位置にあること又は上記第２の天板が上記第６の位置にあることを検出したときに上記駆動部の駆動を停止する手段とを更に具備するようにしてもよい。これにより、第１の天板が第３の位置にあるときや第２の天板が第６の位置にあるときに駆動部の駆動を停止することができる。
【００１４】
上記接続部材または上記トレイ補助部の少なくとも一方は、上記トレイ補助部が上記第１の位置にあるときに、他方に嵌り合って上記光学系からの漏光を阻止する第２の遮光部を有するようにしてもよい。これにより、接続部材とトレイ補助部との間からの漏光を第２の遮光部により阻止することができる。
【発明の効果】
【００１５】
以上のように、本発明によれば、光ディスクを駆動する電子機器を小型化及び薄型化することができる。
【発明を実施するための最良の形態】
【００１６】
以下、本発明の実施の形態を図面に基づき説明する。
【００１７】
図１は本発明の一実施形態に係る電子機器の斜視図、図２は図１に示す電子機器の光ディスクドライブのディスク収容部を引き出した状態の斜視図である。  
電子機器１は、表示部２と、本体部３と、これら表示部２と本体部３とを連結するヒンジ４とを備え、本体部３は、光ディスクを駆動可能な光ディスクドライブ１０を備えている。
【００１８】
表示部２は、ヒンジ４を介して本体部３に対して開閉（折り畳み）可能である。表示部２は、表示側筐体５、表示面６と、表示側筐体５内に設けられた表示処理を行う図示しない表示処理ユニットとを備えている。
【００１９】
表示側筐体５は、図示しない表示処理ユニットを収容する表示部２の筐体である。表示面６は、情報を表示するための画面であり、閉じた状態で本体部３に対面する。表示側筐体５には、円筒形状の連結部４ａが二つ取り付けられている。これら二つの連結部４ａは、本体側の連結部４ｂと連結してヒンジ４を構成する。
【００２０】
本体部３は、筐体７、筐体７に収容されたキーボードユニット８及び光ディスク等の記録媒体の情報を読取るための光ディスクドライブ１０などを備える。
【００２１】
光ディスクドライブ１０は、図２に示すように、本体部３の側面から引き出し可能なディスク収容部１１を備える。ディスク収容部１１は、本体部３の筺体７に対して図２のＹ方向にスライド可能（出し入れ可能）である。ディスク収容部１１がＹ方向に引き出される長さＷの最大値は、ディスク収容部１１に収容される光ディスクの直径より短い。図１では、ディスク収容部１１は、筺体７の外側に突出せずに筺体７内に収容されている。
【００２２】
図３はディスク収容部１１を筺体７に収容した状態（図１に示す状態）での光ディスクドライブ１０の平面図、図４はディスク収容部１１を筺体７から引き出した状態（図２に示す状態）での光ディスクドライブ１０の平面図である。なお、図３及び図４では、筺体７の左側が電子機器１の内側を示し、筺体７の右側が電子機器１の外側を示す（以下同様）。  
光ディスクドライブ１０は、図３及び図４に示すように、ディスク収容部１１と、ディスク収容部１１をスライド可能にするボトム１２とを備える。ディスク収容部１１が筺体７に収容された状態（図３）では、ディスク収容部１１は、ボトム１２内に配置される。ディスク収容部１１がボトム１２から矢印Ｙ方向に引き出された状態（図４）では、ディスク収容部１１は、筺体７外に配置される。ボトム１２は、筺体７内に固定されており、ディスク収容部１１をスライドさせるＹ方向に平行に配設された一対のレール案内部１５を備える（図４参照）。一対のレール案内部１５は、矢印Ｙ方向にディスク収容部１１を案内する。
【００２３】
図５はディスク収容部１１を構成する各部材を開いた状態の平面図である。  
ディスク収容部１１は、トレイ本体２１、トレイ補助部２２、接続部材２３、第２の接続部材２４、第１の天板２５及び第２の天板２６等を備える。
【００２４】
トレイ本体２１は、ボトム１２のレール案内部１５に案内されてＹ方向に第７の位置Ｐ７と第８の位置Ｐ８との間でスライド可能に設けられている。第７の位置Ｐ７は、筺体７外に突出することなく筺体７内にトレイ本体２１が入った位置である。第８の位置Ｐ８は、装着部３１に装着可能な最大径の光ディスクの径より短い長さＷだけトレイ本体２１が筺体７の外に出され、装着部３１が筺体７の外に出た位置である。トレイ本体２１は、ボトム１２とほぼ同じ矩形状を有し、光ディスクのサイズより小さいサイズである。トレイ本体２１の中心とは異なる位置に、光ディスクを装着するための装着部３１が設けられている。装着部３１は、図示しない駆動部により回転する。
【００２５】
トレイ補助部２２は、トレイ本体２１に対して矢印ａ方向に開閉（回動）可能である。つまり、トレイ本体２１の面Ｓ１と、トレイ補助部２２の面Ｓ２とが対向したり、面Ｓ１と面Ｓ２とがほぼ同一平面内に位置したりするように、トレイ本体２１に対してトレイ補助部２２を回動することができる。
【００２６】
接続部材２３は、トレイ本体２１と、トレイ補助部２２との間に設けられ、トレイ本体２１とトレイ補助部２２とのそれぞれにヒンジ機構により接続されている。接続部材２３は、トレイ本体２１と接続されるヒンジ部２３Ａと、トレイ補助部２２と接続されるヒンジ部２３Ｂとを備える。トレイ本体２１は、ヒンジ部２３Ａと連結するヒンジ部を備え、トレイ補助部２２は、ヒンジ部２３Ｂと連結するヒンジ部２２Ａを備える。これにより、トレイ本体２１に対して、接続部材２３を折り曲げ、接続部材２３に対してトレイ補助部２２を折り曲げ可能となると共に、トレイ本体２１、トレイ補助部２２及び接続部材２３を図５に示すようにほぼ同一平面内に開くこと可能となる。
【００２７】
第２の接続部材２４は、トレイ本体２１に固定され、第１の天板２５と接続するためのヒンジ部２４Ａを備える。
【００２８】
第１の天板２５は、第２の接続部材２４（トレイ本体２１）に対して矢印ｂ方向に開閉（回動）可能に接続されている。つまり、トレイ本体２１の面Ｓ１と、第１の天板２５の面Ｓ３とが対向するように、トレイ本体２１に対して第１の天板２５が折り畳まれる。第１の天板２５は、第２の接続部材２４のヒンジ部２４Ａと連結するヒンジ部２５Ａを備える。第１の天板２５は、第２の天板２６と接続するためのヒンジ部２５Ｂを備える。第１の天板２５は、矩形状の凸状部２５Ｃ及び２５Ｄを備える。凸状部２５Ｃは、矩形状であり、第１の天板２５と第２の天板２６との境界に沿う方向（Ｙ方向）に長手方向を有する。凸状部２５Ｃは、第１の天板２５と第２の天板２６との境界に沿う長手方向の中央に形成されている。凸状部２５Ｃは、第１の天板２５側から第２の天板２６側に向けて突出している。凸状部２５Ｃは、第２の天板２６と重なり合って光ピックアップＰ等の光学系からの漏光を阻止する遮光部である。凸状部２５Ｃは、第１の天板２５と、第２の天板２６との間に隙間が生じることを防止する。凸状部２５Ｄは、凸状部２５Ｃの長手方向（Ｙ方向）に直交する方向（Ｘ方向）に長手方向を有する。凸状部２５Ｄは、第１の天板２５側から第２の天板２６側に向けて突出している。凸状部２５Ｃは、第１の天板２５と第２の天板２６との間に隙間が生じることを防止する。
【００２９】
第２の天板２６は、第１の天板２５に対して矢印ｃ方向に開閉（回動）可能に接続されている。つまり、第１の天板２５の面Ｓ３と、第２の天板２６の面Ｓ４とが対向するように、第１の天板２５に対して第２の天板２６が矢印ｃ方向に折り畳まれる。第２の天板２６は、第１の天板２５のヒンジ部２５Ｂに連結するヒンジ部２６Ａを備える。
【００３０】
このように、トレイ本体２１に対して、トレイ補助部２２、接続部材２３、第１の天板２５及び第２の天板２６を回動して開くことで、光ディスクを装着することができるようになる。このとき、トレイ本体２１、トレイ補助部２２及び接続部材２３で形成される部分の平面形状と、第１の天板２５及び第２の天板２６で形成される部分の平面形状とは、ほぼ同じとなる。トレイ本体２１、トレイ補助部２２及び接続部材２３は、装着部３１に装着される光ディスクを、光ディスクの記録面側から覆う。第１の天板２５及び第２の天板２６は、装着部３１に装着される光ディスクを、光ディスクの記録面とは反対側の面側から覆う。
【００３１】
トレイ本体２１には、装着部３１に装着された光ディスクの情報を読取るための光ピックアップＰが移動可能に設けられている。光ピックアップＰは、光ディスクに対して光を照射してその反射光を受光する光学系を備える。トレイ本体２１は、トレイ本体２１に対する第１の天板２５の開閉状態を検出する検出部８０を備える。トレイ本体２１は、装着部３１に光ディスクが装着されたか否かを検出する検出部８１を備える。なお、検出部８０及び８１の配置位置は特に限定されず適宜変更可能である。
【００３２】
図６は図５に示すトレイ本体２１に対して第１の天板２５及び第２の天板２６を一体的に閉じた状態を示す平面図である。
【００３３】
トレイ本体２１、トレイ補助部２２及び接続部材２３と、第１の天板２５及び第２の天板２６とは、ほぼ平面的に重なって折り畳まれ、装着部３１に装着された光ディスクを光漏れなく収容する。第１の天板２５と、第２の天板２６との間は、ヒンジ部２５Ｂ、ヒンジ部２６Ａ、凸状部２５Ｃ及び２５Ｄで隙間なく覆われる。第１の天板２５の凸状部２５Ｃは、第２の天板２６の凹状部２６Ｂに嵌り平面的に重なって設けられる。第１の天板２５の凸状部２５Ｄは、第２の天板２６の凹状部２６Ｂに嵌り平面的に重なって設けられる。第１の天板２５と第２の天板２６とが配設される方向（Ｘ方向）の長さは、光ディスクの直径とほぼ同じ長さとなっている。
【００３４】
図７（Ａ）〜（Ｃ）は図３に示す光ディスクドライブ１０のＡ−Ａ断面図、Ｂ−Ｂ断面図及びＣ−Ｃ断面図である。つまり、図７（Ａ）は光ディスクドライブ１０の中心付近を縦に切断する断面図であり、図７（Ｂ）は光ディスクドライブ１０の装着部３１の中心を縦に切断する断面図であり、図７（Ｃ）は光ディスクドライブ１０の端に近い位置を縦に切断する断面図である。  
接続部材２３は、図７（Ａ）に示すように、ヒンジ部２３Ａを介してトレイ本体２１に対して所定の角度で回動し、トレイ補助部２２は、接続部材２３に対して所定の角度で回動して設けられる。このとき、トレイ補助部２２の突出部３２は、トレイ本体２１の面Ｓ１に当接している。つまり、突出部３２は、装着部３１の周りの収容部Ｋに収められる。これにより、ボトム１２と、トレイ補助部２２とがほぼ平行に配置されている。トレイ補助部２２の突出部３２は、図７（Ｃ）に示すように、例えばその断面形状が略Ｖ字状である。トレイ補助部２２の厚さと、接続部材２３の厚さとは、ほぼ同じ厚さとなっている。
【００３５】
第１の天板２５は、図７（Ａ）に示すように、ヒンジ部２４Ａを介してトレイ本体２１に対してほぼ平行に設けられている。第２の天板２６は、第１の天板２５に対してヒンジ部２６Ａで回動し、トレイ本体２１と第１の天板２５との間の収容部Ｋに収められる。第１の天板２５及び第２の天板２６の厚さは、トレイ本体２１、トレイ補助部２２及び接続部材２３の厚さより薄くなっている。第２の天板２６の先端には、折り曲げられた側壁３３が設けられている。
【００３６】
トレイ本体２１の両端には、一対のレール２１Ｒが設けられている。レール２１Ｒは、それぞれレール案内部１５内に摺動可能に設けられており、図７の紙面を貫く方向に移動可能である。レール２１Ｒの断面は、略矩形状である。レール案内部１５は、レール２１Ｒを外側から包み込むような形状である。つまり、レール案内部１５は、レール２１Ｒの底面や側壁等に接触するように設けられている。レール案内部１５は、レール案内部１５を補強するための補強部材３８により補強されている。補強部材３８は、レール案内部１５の外側にレール案内部１５を外側から包み込むように配置されている。補強部材３８に用いられる部材の厚さは、レール案内部１５に用いられる部材の厚さより厚い。なお、補強部材３８に用いられる部材の厚さは、材質に応じて適宜変更可能である。
【００３７】
図８（Ａ）〜（Ｃ）は図７（Ａ）〜（Ｃ）に示す接続部材２３付近の拡大図である。  
接続部材２３は、図８（Ａ）、（Ｂ）に示すように、ヒンジ部２３Ａとヒンジ部２３Ｂとを結ぶ方向に突出する凸状部４１を備える。トレイ補助部２２には、図８（Ａ）、（Ｂ）に示すように、凸状部４１が嵌ることが可能な凹状部４２が形成されている。また、接続部材２３は、図８（Ｃ）に示すようにレール案内部１５の角部４４が嵌る凹状部４３を備える。
【００３８】
また、接続部材２３が、トレイ本体２１に対して垂直に折り曲げられるのではなく、図８（Ｂ）に示すようにトレイ本体２１の外側上方に向けて斜めに折り曲げられた状態で、トレイ本体２１に対してトレイ補助部２２が安定する。
【００３９】
図９（Ａ）〜（Ｃ）は図６に示す光ディスクドライブ１０のＤ−Ｄ断面図、Ｅ−Ｅ断面図及びＦ−Ｆ断面図である。図９（Ａ）は光ディスクドライブ１０の中心付近を縦に切断した断面図であり、図９（Ｂ）は光ディスクドライブ１０の装着部３１を縦に切断した断面図であり、図９（Ｃ）は光ディスクドライブ１０の一端付近を縦に切断した断面図である。
【００４０】
トレイ本体２１、トレイ補助部２２、接続部材２３、第１の天板２５及び第２の天板２６により、これらの部材の内側に収容部Ｋが形成されている。収容部Ｋ内で、装着部３１に装着された図示しない光ディスクが回転可能となる。トレイ本体２１の面Ｓ１、トレイ補助部２２の面Ｓ２及び接続部材２３の面Ｓ５は、図９（Ａ）に示すように、ほぼ同一平面内に位置する。面Ｓ１、面Ｓ２及び面Ｓ５は、装着部３１に装着される図示しない光ディスクの記録面に対向する。これらの面Ｓ１、Ｓ２及びＳ５に対して、第１の天板２５及び第２の天板２６はほぼ平行に配置される。第１の天板２５及び第２の天板２６は、装着部３１に装着される図示しない光ディスクの記録面とは反対側の面にほぼ平行に対向する。第２の天板２６の側壁３３は、トレイ補助部２２の突出部３２のＶ字状の凹部に嵌る。側壁３３の高さは、第１の天板２５及び第２の天板２６がボトム１２の底面に平行となるように調整されている。第２の天板２６の凹状部２６Ｂには、第１の天板２５の凸状部２５Ｃが嵌る。
【００４１】
図１０（Ａ）〜（Ｃ）は図９（Ａ）〜（Ｃ）に示す接続部材２３付近の拡大図、図１０（Ｄ）は図９（Ａ）に示すヒンジ部２６Ａ付近の拡大図である。  
図１０（Ａ）に示すように、接続部材２３の凸状部４１は、トレイ補助部２２の凹状部４２に嵌る。図１０（Ｂ）に示すように、接続部材２３の凸状部４１は、トレイ補助部２２の凹状部４２にほぼ隙間なく嵌る。図１０（Ｃ）に示すように、接続部材２３は、トレイ補助部２２のヒンジ部２２Ａにほぼ隙間なく接触する。つまり、接続部材２３に対してトレイ補助部２２が回動するとき、及び、図１０（Ｃ）に示すように接続部材２３と、トレイ補助部２２とが同一平面内に開かれたときには、接続部材２３と、トレイ補助部２２の外周面とが隙間なく接触した状態となる。図１０（Ｃ）に示すようにレール案内部１５の角部４４は、接続部材２３の凹状部４３に嵌る。第１の天板２５に対して第２の天板２６を開いた状態では、図１０（Ｄ）に示すように第２の天板２６の凹状部２６Ｂ内に第１の天板２５の凸状部２５Ｃが嵌る。
【００４２】
図１１（Ａ）〜（Ｆ）は光ディスクドライブ１０のトレイ本体２１の平面図、左側面図、右側面図、正面図、背面図及び底面図である。なお、装着部３１等の図示を省略する。
【００４３】
トレイ本体２１は、略矩形状であり、図示しない光ディスクより小さいサイズである。具体的には、トレイ本体２１の引き出し方向（Ｙ方向）の長さＬ１、この引き出し方向（Ｙ方向）に直交する方向（Ｘ方向）の長さＬ２は、装着部３１に装着可能な最大径の光ディスクの直径より短いサイズである。トレイ本体２１の接続部材２３と接続される側の端ｋ１には、凹状部５１が複数形成されている。凹状部５１には、接続部材２３のヒンジ部２３Ａが嵌る。トレイ本体２１の端ｋ１に平行な端ｋ２には、側壁５４が設けられている。端ｋ１に直交する端ｋ３に沿って側壁５３が設けられている。トレイ本体２１には、光ディスクの外形の一部に沿う形状の第１の収容部５６が形成されている。第１の収容部５６は、光ディスクを収容する収容部Ｋの一部を形成する。トレイ本体２１には、面Ｓ１と同じ面側にネジ孔５７が複数形成されている。
【００４４】
図１２（Ａ）〜（Ｆ）は光ディスクドライブ１０の接続部材２３の平面図、左側面図、右側面図、正面図、背面図、底面図、図１３は図１２に示す接続部材２３の斜視図である。  
接続部材２３は、長手方向（Ｙ方向）を有する棒状の部材である。接続部材２３の長手方向（Ｙ方向）に直交する方向（Ｘ方向）の一側には、長手方向に所定の間隔でヒンジ部２３Ａが形成されている。ヒンジ部２３Ａは、図１１に示すトレイ本体２１の凹状部５１に嵌る。ヒンジ部２３Ａの長さは、図１１に示す凹状部５１の長さに応じて適宜変更可能である。なお、このとき、図１１に示す凹状部５１と、図１２に示す接続部材２３のヒンジ部２３Ａとの間に隙間が生じないようにそれぞれの長さを定める。
【００４５】
接続部材２３の長手方向（Ｙ方向）に直交する方向（Ｘ方向）の他側には、長手方向に所定の間隔でヒンジ部２３Ｂが複数形成されている。ヒンジ部２３Ｂの長手方向（Ｙ方向）の長さは、ヒンジ部２３Ａの長手方向の長さより長い。ヒンジ部２３Ｂの長さは、トレイ補助部２２のヒンジ部２２Ａの長さ（図１４参照）に応じて適宜変更可能である。なお、このとき、図１２に示すヒンジ部２３Ｂと、図１４に示すトレイ補助部２２のヒンジ部２２Ａとの間に隙間が生じないようにそれぞれの長さが定められる。
【００４６】
ヒンジ部２３Ｂの先端には、凸状部４１が形成されている（図１２（Ｂ）、（Ｃ）及び図１３参照）。凸状部４１は、図１３に示すようにヒンジ部２３Ｂの全長に亘って形成されている。凸状部４１は、図１０に示すトレイ補助部２２の凹状部４２に嵌る。図１２（Ｂ）及び（Ｆ）に示すように、接続部材２３の底面２３Ｆには、凹状部４３が形成されている。凹状部４３には、図１０（Ｃ）に示すようにレール案内部１５の角部４４が嵌る。
【００４７】
図１４（Ａ）〜（Ｆ）は光ディスクドライブ１０のトレイ補助部２２の平面図、左側面図、右側面図、正面図、背面図、図１５は図１４に示すトレイ補助部２２の斜視図である。  
トレイ補助部２２は、接続部材２３に接続される側に複数のヒンジ部２２Ａを備える。トレイ補助部２２には、光ディスクの外形の一部に沿う湾曲形状の第２の収容部６１が形成されている。第２の収容部６１は、光ディスクを収容する収容部Ｋの一部を形成する。第２の収容部６１がトレイ本体２１の第１の収容部５６と一体となって装着部３１により装着される光ディスクを収容可能なＸ方向のサイズを有する空間を形成する。トレイ補助部２２のヒンジ部２２Ａが形成された側の端と、筺体７に近い側の端とは異なる端に対応して、トレイ補助部２２は、側壁６２を備える。側壁６２は、トレイ補助部２２の面Ｓ２に直交する方向に突出している。
【００４８】
トレイ補助部２２の側壁６２には、ヒンジ部２２Ａとほぼ平行になるように所定の間隔で複数の突出部３２が形成されている。突出部３２の断面形状は、図１４（Ｂ）に示すように略Ｖ字形状である。突出部３２のＶ字の谷間に、図１０（Ａ）〜（Ｃ）に示すように第２の天板２６の側壁３３が嵌る。図１４に示す側壁６２と、図１０（Ａ）〜（Ｃ）に示す側壁３３とは、図１０（Ａ）〜（Ｃ）に示すように当接した状態で位置決めされる。
【００４９】
図１６（Ａ）〜（Ｆ）は光ディスクドライブ１０の第２の接続部材２４の平面図、左側面図、右側面図、正面図及び背面図である。  
図１６（Ａ）に示すように、第２の接続部材２４の長手方向の端ｋ５に、この長手方向に所定の間隔離間して複数のヒンジ部２４Ａが設けられている。第２の接続部材２４には、図１１に示すトレイ本体２１の複数のネジ孔５７に対応する位置に複数のボス６７が設けられている。第２の接続部材２４は、図示しないネジを用いて、これらのボス６７でトレイ本体２１にネジ止めされる。第２の接続部材２４には、光ディスクの外形の一部に沿う湾曲形状を有する凹状部６５が形成されている。第２の接続部材２４は、図１６（Ｅ）に示す面Ｓ６に垂直に突出する側壁６６を備える。
【００５０】
図１７（Ａ）〜（Ｆ）は光ディスクドライブ１０の第１の天板２５の平面図、左側面図、右側面図、正面図、背面図及び底面図である。  
第１の天板２５は、第２の接続部材２４に接続される側の端ｋ３に複数のヒンジ部２５Ａを備える。ヒンジ部２５Ａは、この端ｋ３に沿う方向に所定の間隔で離間して設けられている。第１の天板２５は、第２の天板２６と接続される側の端ｋ４に複数のヒンジ部２５Ｂを備える。図１７（Ａ）に示すように一対のヒンジ部２５Ｂの間には、矩形状の凸状部２５Ｃが設けられている。凸状部２５Ｃは、図１０（Ｄ）に示す第２の天板２６の凹状部２６Ｂに嵌る。第１の天板２５は、対向する端ｋ３、ｋ４に直交する一対の端ｋ５に、面Ｓ３に対して垂直に設けられた側壁６９を備える。側壁６９は、端ｋ５の大部分に及ぶように形成されている。第２の天板２６は、第１の天板２５の本体部２５Ｈから凸状部２５Ｃの長手方向（Ｙ方向）に直交する方向（Ｘ方向）に突出する凸部７０を備える。凸部７０には、凸部７０側から第２の天板２６側に突出する凸状部２５Ｄが形成されている。凸状部２５Ｄの長手方向は、凸状部２５Ｃの長手方向（Ｙ方向）と直交するＸ方向である。凸部７０には、面Ｓ３に垂直な方向に側壁６８が突出して設けられている。側壁６８の高さは、側壁６９の高さより高くなっている。
【００５１】
図１８（Ａ）〜（Ｆ）は光ディスクドライブ１０の第２の天板２６の平面図、左側面図、右側面図、正面図及び背面図である。  
第２の天板２６は、第１の天板２５に接続される端ｋ６に複数のヒンジ部２６Ａが形成されている。ヒンジ部２６Ａは、端ｋ６に沿う方向（Ｙ方向）に所定の間隔で形成されている。第２の天板２６の端ｋ６の中央の領域には、凹状部２６Ｂが形成されている。図１８（Ａ）に示す凹状部２６Ｂは、紙面表面から裏面に向けて落ち込む。凹状部２６Ｂには、図１７に示す凸状部２５Ｃが嵌る。第２の天板２６の端ｋ６に直交する一方の端ｋ７には、凹状部２６Ｂが形成されている。この凹状部２６Ｂの長手方向（Ｘ方向）は、端ｋ６側に形成されている凹状部２６Ｂの長手方向（Ｙ方向）に直交する。第２の天板２６の端ｋ６、ｋ７と異なる端には、面Ｓ４に垂直な方向に突出する側壁７１、７２及び７３が形成されている。側壁７１、７２及び７３は、第２の天板２６のこれらの端のほぼ全域に亘るように設けられている。
【００５２】
＜光ディスク装着動作＞
図１９（Ａ）〜（Ｆ）は光ディスクの装着動作を説明するための図である。  
ユーザが電子機器１に対して光ディスクを装着する場合について説明する。例えば図示しない取り出しボタンをユーザが押下することにより、電子機器１の筺体７からディスク収容部１１がＹ方向に引き出される（図１９（Ａ））。このとき、ディスク収容部１１が引き出される前のトレイ本体２１の位置が第７の位置であり、引き出された後のトレイ本体２１の位置が第８の位置である。
【００５３】
次いで、トレイ本体２１等に対して、第１の天板２５及び第２の天板２６を、ヒンジ部２５Ａ等を介して矢印ｂ方向に回動する（図１９（Ｂ））。このとき、第１の天板２５は、第３の位置Ｐ３に位置し、第２の天板２６は、第６の位置Ｐ６に位置する。つまり、第１の天板２５に対して第２の天板２６が折り畳まれた状態のまま、第１の天板２５及び第２の天板２６がトレイ本体２１に対して開かれる。
【００５４】
次いで、第１の天板２５に対して、ヒンジ部２５Ｂ等を介して、第２の天板２６を矢印ｃ方向に回動する（図１９（Ｃ））。このとき、第２の天板２６は、第５の位置Ｐ５に位置し、トレイ補助部２２は、第２の位置Ｐ２に位置する。これにより、第１の天板２５の面Ｓ３と、第２の天板２６の面Ｓ４とがほぼ同一平面内に位置するようにする。この結果、上述したように第１の天板２５と第２の天板２６との境界は、凸状部２５Ｃ及び凸状部２５Ｄにより塞がれる。
【００５５】
続いて、トレイ本体２１に対して、ヒンジ部２３Ａ、２３Ｂ等を介して、トレイ補助部２２及び図１９では図示しない接続部材２３を矢印ａ方向に回動する（図１９（Ｄ））。このとき、トレイ補助部２２は、第１の位置Ｐ１に位置する。これにより、トレイ本体２１の面Ｓ１と、トレイ補助部２２の面Ｓ２とがほぼ同一平面内に位置するようにする。
【００５６】
続いて、光ディスクのセンター穴を装着部３１に嵌合して光ディスクＭを装着部３１に装着する（図１９（Ｅ））。このとき、光ディスクＭの一部は、筺体７内に挿入されており、光ディスクＭの他の部分は、トレイ本体２１、トレイ補助部２２及び接続部材２３内に収められている。すなわち、トレイ本体２１のＹ方向への引き出し量は、光ディスクＭの直径より小さく、光ディスクＭの半径より大きい。
【００５７】
そして、トレイ本体２１、トレイ補助部２２及び接続部材２３に対して、ヒンジ部２５Ａを介して、第１の天板２５及び第２の天板２６を一体的に矢印ｂ方向に回動させ、互いに一体的に重なるようにする（図１９（Ｆ））。これにより、ディスク収容部１１内に光ディスクＭが収容される。
【００５８】
なお、本実施形態では、図１９（Ａ）に示す状態で、図１９（Ｂ）に示すようにトレイ本体２１に対して第１の天板２５及び第２の天板２６を一体的に矢印ｂ方向に回動し、続いて、図１９（Ｃ）に示すように第１の天板２５に対して第２の天板２６を回動させる例を示した。しかし、これに限定されず、例えば図１９（Ｄ）に示すトレイ補助部２２等を開く操作を先に行い、図１９（Ｂ）に示す第１の天板２５等を開く操作を後で行うようにしてもよい。また、図１９（Ｂ）に示す状態で、第２の天板２６を回動させる前にトレイ補助部２２を回動させるようにしてもよい。このように、各トレイや天板の開閉の手順は特に限定されず、適宜変更可能である。
【００５９】
＜作用等＞  
このように本実施形態によれば、筺体７に対してトレイ本体２１を引き出し（図１９（Ａ））、第２の天板２６と共に第１の天板２５を第３の位置Ｐ３に回動することができる（図１９（Ｂ））。第１の天板２５に対して第２の天板２６を第５の位置Ｐ５に回動して第１の天板２５と第２の天板２６とで光ディスクを収容する蓋を形成することができる（図１９（Ｃ））。トレイ本体２１に対して第１の位置Ｐ１にトレイ補助部２２を回動することができる（図１９（Ｄ））。図１９（Ｄ）に示す状態では、図５に示すように第２の収容部６１がトレイ本体２１の第１の収容部５６と一体となって装着部３１により装着される光ディスクを収容可能な空間を形成する。装着部３１に光ディスクを装着し（図１９（Ｅ））、第２の天板２６と一体となった第１の天板２５を第４の位置Ｐ４に回動しトレイ本体２１に対向させ第２の天板２６をトレイ補助部２２に対向させて光ディスクを収容することができる（図１９（Ｆ））。この状態で、光ディスクＭを駆動することができる。
【００６０】
第１の天板２５及び第２の天板２６を光ディスクを装着部３１に着脱可能となる第３の位置Ｐ３に回動し（図１９（Ｅ））、光ディスクを取り外すことができる（図１９（Ｄ））。第２の天板２６を第１の天板２５に重なる第６の位置Ｐ６に回動させ（図１９（Ｂ））、この状態で第１の天板２５をトレイ本体２１に対向する第４の位置Ｐ４に回動させることができる（図１９（Ａ））。トレイ補助部２２及び接続部材２３をトレイ本体２１に収容する（折り畳む）ことができる（図１９（Ａ））。これにより、ディスク収容部１１の平面的な大きさをトレイ本体２１のサイズにすることができる。つまり、ディスク収容部１１の非使用時には、ディスク収容部１１は、図４に示すように、コンパクトサイズになっている。つまり、トレイ補助部２２及び接続部材２３の長さ分、トレイ本体２１のＸ方向の長さを短くすることができる。このとき、図７に示すように、折り畳まれた第２の天板２６及びトレイ補助部２２が収容部Ｋに収められるので、ディスク収容部１１の厚さが厚くなることを防止することができる。従って、ディスク収容部１１を小型化及び薄型化して、光ディスクＭを駆動する電子機器１を小型化及び薄型化することができる。
【００６１】
トレイ本体２１は、図１９（Ｄ）、（Ｅ）に示すように、装着部３１が筺体７の外に出るまで引き出し可能である。これにより、ユーザにより装着部３１に光ディスクＭを容易かつ確実に装着することができる。また、筺体７からの装着部３１の引き出し量が光ディスクＭの直径より小さくなるように、トレイ本体２１の大きさ（筺体７からのトレイ本体２１の引き出し量の最大値）が定められている。このため、ディスク収容部１１のサイズを小さくして電子機器１のサイズを小さくすることができる。
【００６２】
図６及び図９に示すように、ディスク収容部１１が光ディスクを収容可能な状態のときには、第１の天板２５の凸状部２５Ｃ及び凸状部２５Ｄが、それぞれ第２の天板２６の凹状部２６Ｂに嵌る（図１０（Ｄ）参照）。このため、光ピックアップＰから射出される光等が第１の天板２５と第２の天板２６との間から漏れることを阻止することができる。
【００６３】
また、図１０に示すように、第２の天板２６の側壁３３が、トレイ補助部２２の側壁６２に当接するので、光ピックアップＰからの光の漏れを防止することができる。また、図１０（Ａ）、（Ｂ）に示すように、接続部材２３の凸状部４１がトレイ補助部２２の凹状部４２に嵌るので、接続部材２３とトレイ補助部２２との間から光が漏れることを防止することができる。図１０（Ｃ）に示すように、接続部材２３は、凸状部４１を備えない箇所では、トレイ補助部２２のヒンジ部２２Ａに当接するので、光漏れを防止することができる。また、接続部材２３の凹状部４３にレール案内部１５の角部４４が嵌るので、接続部材２３とレール案内部１５との間からの光漏れを防止することができる。
【００６４】
ディスク収容部１１は、トレイ本体２１とトレイ補助部２２とに接続された接続部材２３を備える。このように、トレイ本体２１に対して折り畳み可能であるトレイとなる部分を、一部材ではなく接続部材２３とトレイ補助部２２との複数の部材で構成した。これに対して、例えば接続部材２３とトレイ補助部２２とに相当する部分を２つの部材ではなく一部材で構成し、トレイ本体２１に対してヒンジ部２３Ａでこの一部材を折り畳む場合を考える。この場合には、一部材と装着部３１との接触を防止するために、装着部３１からヒンジ部２３Ａまでの長さを、この一部材の長さ以上確保する必要があり、ディスク収容部のサイズが大きくなる。
【００６５】
これに対して、図８に示すようにトレイ本体２１に対して接続部材２３を折り畳み、接続部材２３に対してトレイ補助部２２を折り畳む場合を考える。この場合、装着部３１とトレイ補助部２２との接触を防止しつつ、接続部材２３の長さ分、より正確には接続部材２３のヒンジ部２３Ａとヒンジ部２３Ｂとの間の長さの分、装着部３１からヒンジ部２３Ａまでの長さ（トレイ補助部２２の長さ）を短くできる。この結果、ディスク収容部１１のサイズをより小さくすることができる。
【００６６】
ディスク収容部１１は、装着部３１に光ディスクが装着されているか否かを検出する検出部８１を備える（図５参照）。また、ディスク収容部１１は、トレイ本体２１に対する第１の天板２５の開閉状態を検出する検出部８０を備える（図５参照）。このため、電子機器１内のＣＰＵは、検出部８０、８１により、装着部３１に光ディスクが装着されていないと判断したときや第１の天板２５が開いていると判断したときに、装着部３１を回転駆動する駆動部であるスピンドルモータの駆動を停止する。これにより、ユーザの安全を図ることができる。
【００６７】
トレイ本体２１は、一対のレール２１Ｒを備える（図７参照）。ボトム１２は、これら一対のレール２１Ｒを案内するレール案内部１５及びレール案内部１５を補強する補強部材３８を備える。このため、図６に示すように、筺体７からディスク収容部１１が引き出された状態で、光ディスクを駆動部により回転させるときに、ボトム１２に対するディスク収容部１１振動を抑制することができる。この結果、光ディスクの情報をより正確に再生することができる。
【００６８】
また、図８（Ｂ）に示すようにトレイ本体２１の外側上方に向けて斜めに折り曲げられた状態で、トレイ本体２１に対してトレイ補助部２２が安定した状態で配置される。これに対して、接続部材２３がトレイ本体２１に対して垂直になった状態で、第２の天板２６が安定する場合を考える。この場合、図８の場合に比べて、接続部材２３とトレイ補助部２２との長さの合計が短くなる。この場合に、トレイ本体２１、トレイ補助部２２及び接続部材２３で光ディスクの半径の長さを確保するために、トレイ補助部２２と接続部材２３との長さが短い分、トレイ本体２１のサイズを大きくする必要が生じる。この結果、ディスク収容部１１のサイズが大きくなる。
【００６９】
これに対して、図８に示す接続部材２３が斜めになる場合には、トレイ補助部２２と接続部材２３の長さが長い分、トレイ本体２１のサイズを小さくすることができるので、ディスク収容部１１のサイズをより小さくすることができる。
【００７０】
なお、本発明は以上説明した実施の形態には限定されるものではなく、本発明の技術思想の範囲内で種々の変形が可能である。
【００７１】
上記実施形態では、ディスク収容部１１がトレイ本体２１に対する第１の天板２５の開閉状態を検出する検出部８０を備える例を示した。しかし、トレイ補助部２２に対する第２の天板２６の開閉状態を検出する検出部を備えるようにしてもよいし、これら両方の検出部を備えるようにしても同様にユーザの安全を確保することができる。
【００７２】
上記実施形態では、第１の天板２５が凸状部２５Ｃを備え、凸状部２５Ｃが第２の天板２６と重なり合って光ピックアップＰ等の光学系からの漏光を阻止する例を示した。しかし、これに限定されず、例えば第２の天板２６が凸状部２５Ｃと同形状を有する凸状部を備え、第１の天板２５が凹状部を備えるようにしてもよい。この場合にも、光ピックアップＰ等から光ディスクドライブ外への漏光を防止することができる。また、接続部材２３が凸状部４１の代わりに凹状部を備え、この凹状部に嵌る凸状部をトレイ補助部２２が備えるようにしてもよい（図８参照）。このようにしても、同様に光漏れを防止することができる。
【００７３】
また、上記実施形態では、トレイ本体２１の一側にトレイ補助部２２を回動自在に設ける例を示した。しかし、トレイ本体２１の代わりにトレイ本体２１よりＸ方向のサイズが小さい図示しないトレイ本体を用い、このトレイ本体の両側にトレイ補助部を回動自在に設けるようにしてもよい（観音開き）。この場合には、折り畳み可能に接続された天板の一端を一方のトレイ補助部に回動自在に接続するようにすればよい。このとき、折り畳まれたトレイ補助部や天板が、トレイ本体に平面的に重なるようにすればよい。このようにしても、上記実施形態と同様にディスク収容部を小型化及び薄型化して、光ディスクＭを駆動する電子機器を小型化及び薄型化することができる。
【図面の簡単な説明】
【００７４】
【図１】本発明の一実施形態に係る電子機器の斜視図である。
【図２】図１に示す電子機器の光ディスクドライブのディスク収容部を引き出した状態の斜視図である。
【図３】ディスク収容部を筺体に収容した状態での光ディスクドライブの平面図である。
【図４】ディスク収容部を筺体から引き出した状態での光ディスクドライブの平面図である。
【図５】ディスク収容部を構成する各部材を開いた状態の平面図である。
【図６】図５に示すトレイ本体に対して第１の天板及び第２の天板を一体的に閉じた状態を示す平面図である。
【図７】図３に示す光ディスクドライブのＡ−Ａ断面図、Ｂ−Ｂ断面図及びＣ−Ｃ断面図である。
【図８】図７（Ａ）〜（Ｃ）に示す接続部品付近の拡大図である。
【図９】図６に示す光ディスクドライブのＤ−Ｄ断面図、Ｅ−Ｅ断面図及びＦ−Ｆ断面図である。
【図１０】図９（Ａ）〜（Ｃ）に示す接続部材２３付近の拡大図、図９（Ａ）に示すヒンジ部付近の拡大図である。
【図１１】光ディスクドライブのトレイ本体の平面図、左側面図、右側面図、正面図、背面図及び底面図である。
【図１２】光ディスクドライブの接続部材の平面図、左側面図、右側面図、正面図、背面図及び底面図である。
【図１３】図１２に示す接続部材の斜視図である。
【図１４】光ディスクドライブのトレイ補助部の平面図、左側面図、右側面図、正面図及び背面図である。
【図１５】図１４に示すトレイ補助部の斜視図である。
【図１６】光ディスクドライブの第２の接続部材の平面図、左側面図、右側面図、正面図及び背面図である。
【図１７】光ディスクドライブの第１の天板の平面図、左側面図、右側面図、正面図、背面図及び底面図である。
【図１８】光ディスクドライブの第２の天板の平面図、左側面図、右側面図、正面図及び背面図である。
【図１９】光ディスクの装着動作を説明するための図である。
【符号の説明】
【００７５】
Ｙ  矢印
Ｓ１、Ｓ２、Ｓ３、Ｓ４、Ｓ５  面
Ｐ１〜Ｐ８  第１の位置〜第８の位置
Ｐ  光ピックアップ
Ｍ  光ディスク
１  電子機器
３  本体部
７  筐体
１０  光ディスクドライブ
１１  ディスク収容部
１２  ボトム
１５  レール案内部
２１  トレイ本体
２１Ｒ  レール
２２  トレイ補助部
２２Ａ、２３Ａ、２３Ｂ、２４Ａ、２５Ａ、２５Ｂ、２６Ａ  ヒンジ部
２３  接続部材
２５  第１の天板
２５Ｃ、２５Ｄ  凸状部
２６  第２の天板
２６Ｂ、４２、４３、５１、６５  凹状部
５６  第１の収容部
６１  第２の収容部
３１  装着部
３８  補強部材
４１  凸状部
８０、８１  検出部
【図１】
2010140548.tif 000003
【図２】
2010140548.tif 000004
【図３】
2010140548.tif 000005
【図４】
2010140548.tif 000006
【図５】
2010140548.tif 000007
【図６】
2010140548.tif 000008
【図７】
2010140548.tif 000009
【図８】
2010140548.tif 000010
【図９】
2010140548.tif 000011
【図１０】
2010140548.tif 000012
【図１１】
2010140548.tif 000013
【図１２】
2010140548.tif 000014
【図１３】
2010140548.tif 000015
【図１４】
2010140548.tif 000016
【図１５】
2010140548.tif 000017
【図１６】
2010140548.tif 000018
【図１７】
2010140548.tif 000019
【図１８】
2010140548.tif 000020
【図１９】
2010140548.tif 000021
【手続補正書】
【提出日】平成22年2月2日(2010.2.2)
【手続補正１】
【補正対象書類名】明細書
【補正対象項目名】００２８
【補正方法】変更
【補正の内容】
【００２８】
第１の天板２５は、第２の接続部材２４（トレイ本体２１）に対して矢印ｂ方向に開閉（回動）可能に接続されている。つまり、トレイ本体２１の面Ｓ１と、第１の天板２５の面Ｓ３とが対向するように、トレイ本体２１に対して第１の天板２５が折り畳まれる。第１の天板２５は、第２の接続部材２４のヒンジ部２４Ａと連結するヒンジ部２５Ａを備える。第１の天板２５は、第２の天板２６と接続するためのヒンジ部２５Ｂを備える。第１の天板２５は、矩形状の凸状部２５Ｃ及び２５Ｄを備える。凸状部２５Ｃは、矩形状であり、第１の天板２５と第２の天板２６との境界に沿う方向（Ｙ方向）に長手方向を有する。凸状部２５Ｃは、第１の天板２５と第２の天板２６との境界に沿う長手方向の中央に形成されている。凸状部２５Ｃは、第１の天板２５側から第２の天板２６側に向けて突出している。凸状部２５Ｃは、第２の天板２６と重なり合って光ピックアップＰ等の光学系からの漏光を阻止する遮光部である。凸状部２５Ｃは、第１の天板２５と、第２の天板２６との間に隙間が生じることを防止する。凸状部２５Ｄは、凸状部２５Ｃの長手方向（Ｙ方向）に直交する方向（Ｘ方向）に長手方向を有する。凸状部２５Ｄは、第１の天板２５側から第２の天板２６側に向けて突出している。凸状部２５Ｄは、第１の天板２５と第２の天板２６との間に隙間が生じることを防止する。
【手続補正２】
【補正対象書類名】明細書
【補正対象項目名】００３９
【補正方法】変更
【補正の内容】
【００３９】
図９（Ａ）〜（Ｃ）は図６に示す光ディスクドライブ１０のＤ−Ｄ断面図、Ｅ−Ｅ断面図及びＦ−Ｆ断面図である。図９（Ａ）は光ディスクドライブ１０の中心付近を縦に切断した断面図であり、図９（Ｂ）は光ディスクドライブ１０の装着部３１の中心を縦に切断した断面図であり、図９（Ｃ）は光ディスクドライブ１０の一端付近を縦に切断した断面図である。
【手続補正３】
【補正対象書類名】明細書
【補正対象項目名】００４７
【補正方法】変更
【補正の内容】
【００４７】
図１４（Ａ）〜（Ｆ）は光ディスクドライブ１０のトレイ補助部２２の平面図、左側面図、右側面図、正面図、背面図及び底面図、図１５は図１４に示すトレイ補助部２２の斜視図である。  
トレイ補助部２２は、接続部材２３に接続される側に複数のヒンジ部２２Ａを備える。トレイ補助部２２には、光ディスクの外形の一部に沿う湾曲形状の第２の収容部６１が形成されている。第２の収容部６１は、光ディスクを収容する収容部Ｋの一部を形成する。第２の収容部６１がトレイ本体２１の第１の収容部５６と一体となって装着部３１により装着される光ディスクを収容可能なＸ方向のサイズを有する空間を形成する。トレイ補助部２２のヒンジ部２２Ａが形成された側の端と、筺体７に近い側の端とは異なる端に対応して、トレイ補助部２２は、側壁６２を備える。側壁６２は、トレイ補助部２２の面Ｓ２に直交する方向に突出している。
【手続補正４】
【補正対象書類名】明細書
【補正対象項目名】００４９
【補正方法】変更
【補正の内容】
【００４９】
図１６（Ａ）〜（Ｆ）は光ディスクドライブ１０の第２の接続部材２４の平面図、左側面図、右側面図、正面図、背面図及び底面図である。  
図１６（Ａ）に示すように、第２の接続部材２４の長手方向の端ｋ５に、この長手方向に所定の間隔離間して複数のヒンジ部２４Ａが設けられている。第２の接続部材２４には、図１１に示すトレイ本体２１の複数のネジ孔５７に対応する位置に複数のボス６７が設けられている。第２の接続部材２４は、図示しないネジを用いて、これらのボス６７でトレイ本体２１にネジ止めされる。第２の接続部材２４には、光ディスクの外形の一部に沿う湾曲形状を有する凹状部６５が形成されている。第２の接続部材２４は、図１６（Ｅ）に示す面Ｓ６に垂直に突出する側壁６６を備える。
【手続補正５】
【補正対象書類名】明細書
【補正対象項目名】００５１
【補正方法】変更
【補正の内容】
【００５１】
図１８（Ａ）〜（Ｆ）は光ディスクドライブ１０の第２の天板２６の平面図、左側面図、右側面図、正面図、背面図及び底面図である。  
第２の天板２６は、第１の天板２５に接続される端ｋ６に複数のヒンジ部２６Ａが形成されている。ヒンジ部２６Ａは、端ｋ６に沿う方向（Ｙ方向）に所定の間隔で形成されている。第２の天板２６の端ｋ６の中央の領域には、凹状部２６Ｂが形成されている。図１８（Ａ）に示す凹状部２６Ｂは、紙面表面から裏面に向けて落ち込む。凹状部２６Ｂには、図１７に示す凸状部２５Ｃが嵌る。第２の天板２６の端ｋ６に直交する一方の端ｋ７には、凹状部２６Ｂが形成されている。この凹状部２６Ｂの長手方向（Ｘ方向）は、端ｋ６側に形成されている凹状部２６Ｂの長手方向（Ｙ方向）に直交する。第２の天板２６の端ｋ６、ｋ７と異なる端には、面Ｓ４に垂直な方向に突出する側壁７１、７２及び７３が形成されている。側壁７１、７２及び７３は、第２の天板２６のこれらの端のほぼ全域に亘るように設けられている。